(57)【要約】      （修正有）【課題】人体に出現する筋の硬結を、自身の体重負荷による押圧で柔軟性を復元させる指圧器具を提供する。【解決手段】指圧器具は三角錐体様の左右面対称一対２個の硬度のある弾性体で四つの突出部１〜４と六つの辺部１０〜１３から成り、突出部１〜４の高さや辺部１０〜１３の角度は異なる部分を有する曲面５〜８で構成される。この突出部１〜４と辺部１０〜１３の相違を生かして、仰臥位で仙腸関節部及び臀部の筋の硬結へ適合させ、体重負荷を反復する押圧で筋の硬結の柔軟性を復元させる。【選択図】図１
0003199316.tif 000002
【実用新案登録請求の範囲】
【請求項１】
左右面対称一対２個の三角錐体様の硬度のある弾性体の、
全ての突出部及び辺部は曲面であり、
突出部の高さ及び辺部の長さは異なる部分を有し、
面部分は平面状であるが、面（５）には円錐状様の据付ホール（１７）を有する、
指圧器具の突出部や辺部を自身で操作し、仙腸関節部及び臀部の筋の硬結に適合し易く構成することを特徴とする指圧器具。
【請求項２】
左右面対称一対２個の三角錐体様の硬度のある弾性体の、
１個を使用することで、筋の硬結に適合し易く構成することを特徴とする請求項１記載の指圧器具。
【請求項３】
左右面対称一対２個の三角錐体様の硬度のある弾性体の、
１個又は２個を、平板（１４）の突起部（１６）に指圧器具の面（５）の据付ホール（１７）を差込み固定して、筋の硬結に適合し易く構成することを特徴とする請求項１の指圧器具。
【考案の詳細な説明】
【技術分野】
【０００１】  本考案は、人体に出現する筋の硬結を指圧器具を用いて、自身の体重負荷による押圧で柔軟性を復元させる指圧器具に関するものである。
【背景技術】
【０００２】  人体は、経年に伴って筋の硬結が頻発するが、その硬結を柔軟に復元するには、古くから経験的に手指の圧力刺激を加えることで柔軟性を復元してきた。しかし自身の手指では施術し難い場所があり、そのような硬結は他者の施術に委ねることが多い。
筋の硬結が慢性化すると疼痛や神経症状が出現することも推考される。本考案が対象とする硬結部は仙腸関節部及び臀部であるが、何れも自身の手指では筋の硬結の柔軟性を復元するのは難しい。しかし他者での施術には時間や経費や労力もかかり、施術を日常化するのは難しいのが現状である。
特に仙腸関節部及び臀部の慢性化した硬結の放置は、やがて腰の変形の大きな要因になると推考される。【０００３】  先行技術としては、実用新案登録３１９０２４６号公報の考案があるが、この考案は２個の連結された指圧突起の押圧部を開閉することによって、指圧突起を水平移動し硬結部に適合させるものであるが、水平移動による水平位置の硬結部には十分対応できるが、身体の体型差などによる曲面部の硬結の様態や、硬結部の高さにおける位置の変化に対応するのは難しいと推考される。
【先行技術文献】
【特許文献】
【０００４】
【特許文献１】実用新案登録３１９０２４６号公報
【考案の概要】
【考案が解決しようとする課題】
【０００５】  従来、筋の硬結が要因と推考される疼痛、神経症状の改善は、他者での施術に依存することが多いが時間的、経済的、労働的負担は大きい。そんな身体の症状を放置すると不快に耐えながらの日常生活となり、やがては腰の変形へと連なることも推考される。
本考案が対象とする硬結部は、仙腸関節部及び臀部であるが、何れも自身の手指での施術は難しい。その硬結部を指圧器具を用いて、自身で操作し適合させ体重負荷を反復する押圧で、筋の硬結の柔軟性を復元する。
これを日常居ながらにして施術し前述の問題を解決しようとする。
【課題を解決するための手段】
【０００６】  本考案の指圧器具は左右面対称一対２個で、三角錐体様の硬度のある弾性体で、全ての突出部及び辺部は曲面で、面部分は平面状であるが、面（５）には据付ホール（１７）があり、面（５）、面（６）、面（７）には指の握り部分に深さ１ミリメートル程度の曲面の窪みを設けることもある。
硬結部を自身で操作し探り当て、体重負荷を反復する押圧で筋の硬結の柔軟性を復元させる。又底面を換えずに左右面対称で同時に回し移動することで、辺部の押圧部の角度や位置が変化して、仙腸関節部及び臀部の体型における曲面部の筋の硬結に適合し易くなって、筋の硬結の柔軟性の復元を簡便にする事が可能となる。
従って前記、先行技術の実用新案登録３１９０２４６号公報の問題点も解決される。
更に考案の指圧器具は、硬結の様態に応じて１個を用いることも可能で、酷い硬結の場合には１個に体重を負荷することで、大きな負荷が生じて、硬い硬結でも柔軟性の復元が可能となる。
又左右面対称一対２個を平板（１４）に固定することで、固定し安定化させて前述の回し移動による押圧部の変化によって、筋の硬結の柔軟性を復元させる。
これを自身の施術で日常居ながらにして問題を解決する。
【考案の効果】
【０００７】  本考案の指圧器具は、自身の手指では施術し難い所の筋の硬結の柔軟性を復元するものである。
人体は重力に抗い体型を維持するために、意思に関わり無く何れかの筋は常に緊張している。ただ座っているだけでも仙腸関節部及び臀部の筋は常に緊張している。
そのような筋も経年に伴って硬結が慢性化すると、疼痛、神経症状が出現し、放置すると腰の変形へと連なることも推考される。
その硬結を考案の指圧器具を用いて時間的、経済的、労働的負担をかけずに自身の施術で筋の硬結の柔軟性を復元して、前述の症状の改善、症状出現の頻発の抑制、腰の変形の予防対策を日常居ながらにして、快適な日常生活を継続して送れることが可能となる。
【図面の簡単な説明】
【０００８】
【図１】本考案の指圧器具、左右面対称一対２個を底面を面（５）として辺部（９）を向き合わせた形で、上方から見た図で図面の上が左側で下が右側である。
【図２】同、左右面対称一対２個を底面を面（６）とし、辺部（１２）を向き合わせた形で上方から見た図で、図面の左側が左で右側が右である。
【図３】同、右側１個を底面を面（８）とし突出部（２）を上に向け、突出部（１）を左側に向けた形で面（６）を手前側にして斜め上方から見た図である。
【図４】同、左右面対称一対２個を図１の形で平板（１４）の突起部（１６）に差込み固定した状態を左右の面（７）の側面から見た図である。
【図５】同、左右面対称一対２個を固定する平板（１４）を上方から見た図である。
【考案を実施するための形態】
【０００９】  本考案の指圧器具は、三角錐体様の左右面対称一対２個で、２個乃至は１個を用いる方法がある。
指圧器具の左右面対称一対２個乃至は１個を平板（１４）に固定することができる。
考案の指圧器具は、特に仙腸関節部及び臀部の２箇所の筋の硬結の柔軟性を復元することを有効とするが、指圧器具１個を使用し頸の付け根の筋の硬結を柔軟にする実施例も最後に紹介する。
以下に実施例を述べる。
【００１０】  まず、考案の指圧器具、左右面対称一対２個を平板（１４）に固定化せずに仙腸関節部及び臀部に使用した実施例である。
身体は布団の上で仰臥位で両膝を立て左右の手に指圧器具を持ち、臀部を上げて下に指圧器具を左右面対称となるようにして底面を面（５）で突出部（１）、または底面を面（６）で突出部（４）として上に向けて入れる。仙腸関節部の硬結部付近で腰を下ろしてみる。そこで突出部の高さや辺部の角度や位置が硬結に適合するか探ってみる。又は底面を換えずに左右面対称を保ちながら、同時に回し移動して硬結に適合するか探ってみる。適合すると感じたら体重負荷を反復する押圧で、筋の硬結の柔軟性を復元して行く。
【００１１】  仙腸関節部の左右を背後から見ると、丁度Ｖ字形のようになっており、回し移動の時に左右の指圧器具の底面を面（５）で突出部（２）を足側の方に向けて辺部（９）を、この仙腸関節部のＶ字形に沿って左右当てると、仙腸関節部全体に押圧を加えることが可能となり、柔軟性を復元するのに効果的である。
【００１２】  指圧器具２個で押圧しながら更に強い押圧にしたい時には、立てている両膝を外側に向けて倒すように開脚すると、押圧部に更に負荷が加わり硬い硬結でも柔軟にすることが可能となる。
【００１３】  更に硬い硬結を指圧器具１個を用いて柔軟にする場合である。臀部の上部の寛骨の曲面部の奥に付着している筋は硬い硬結を形成している場合がある。その硬結を柔軟にするには、１個の指圧器具を片手に握り底面を面（６）とし突出部（４）、又は底面を面（７）とし突出部（３）として、突出部（４）か突出部（３）を硬結に当て適合させる。適合すると感じたら身体を傾け指圧器具１個に体重負荷をかける強い押圧で、筋の硬結の柔軟性を復元する。
【００１４】  左右のどちらか一方に硬結による症状を認めない場合でも、筋の硬結は潜在している場合が多く施術は両方するのが妥当であるが、全く片方には硬結が無いという場合には、施術の体勢を保つための支えとして活用する。
【００１５】  次に、仙腸関節部の硬結が柔軟に復元したら、更にその周囲の臀部の筋の硬結部へ施術部位を拡げて行く。
特に臀部の上部の筋の硬結が酷い場合が多く、指圧器具の突出部の高さや辺部の位置や角度が適合するように操作して探って行く。
又指圧器具の底面を換えずに、左右面対称を保ちながら回し移動して適合する場所探ってみる。適合すると感じたら体重負荷を反復する押圧で、筋の硬結の柔軟性を復元して柔軟部分を拡げて行く。
【００１６】  既に硬結などによって腰の変形が慢性化してしまっている場合には、その腰の変形を維持するために、仙腸関節部や臀部の筋の硬結が支持されている場合があるので、急な硬結の柔軟性の復元は避け、日数をかけ緩慢にして行う。
その場合の施術の体勢は枕を置いて布団を敷き、その枕の上にもう一枚の布団を敷き枕側へ三つ折にして、その上に仰臥位で頭を枕側にして背中を置き、臀部は三つ折の布団から出し両膝は立てた体勢で、両手に左右の指圧器具を持ち面対称にして腰を上げて下に入れ、指圧器具の突出部の高さや辺部の位置や角度が硬結に適合すように探って行く。
又指圧器具の底面を換えずに左右面対称を保ちながら回し移動で硬結に適合する場所を探ってみる。
適合すると感じたら体重負荷を反復する押圧で、筋の硬結の柔軟性を復元して柔軟部分を拡げて行く。
【００１７】  臀部の硬結の場合には、指圧器具１個を用いる方法がある。それは仙腸関節の下部付近から座骨に渡り付着する臀筋部の下方の硬結である。その筋の硬結を柔軟にする場合には１個の指圧器具を用いる。
【００１８】  前記の臀筋部の下方の筋の硬結を、１個の指圧器具を用いて柔軟にする場合には、枕を置いて布団を敷き、その枕の上にもう一枚の布団を敷き枕側へ三つ折にして、その上に仰臥位で頭を枕側にして背中を置き、臀部を三つ折の布団から出した体勢で、施術側の足は伸ばし反対側の足は膝を立てた体勢で、施術側の臀筋の下方の硬結部付近へ指圧器具を片手で入れてみる。
この時、指圧器具は図３のような底面を面（８）として突出部（２）は上に向け、体側に突出部（１）が向くようにして硬結部を探り当てながら、適度に体重負荷を反復する押圧で筋の柔軟性を復元させる。
以上は固定せずに使用した施術例である。
【００１９】  次は考案の指圧器具を平板（１４）に固定して活用する実施例である。
固定するには、まず指圧器具の底面を面（５）として、突出部（１）の頂点を垂直に下ろして面（５）と交差する点から突出部（２）方向にやや移動した面（５）の位置に円錐状様の据付ホール（１７）がある。この据付ホール（１７）は固定する平板（１４）に設置されている突起部（１６）が納まる円錐状様の形状で、突起部（１６）は据付ホール（１７）より小さめで先端部は曲面で構成される。図４を参照されたい。
【００２０】  まず、一枚の布団の上に頭部とする側に枕を置き、枕側へ布団を三つ折にする。その布団の上に、仰臥位で枕側を頭部として背中を布団に置き、臀部は布団から出して両膝を立てる。その体勢で腰を上げて固定した左右面対称一対２個の指圧器具を入れて、両手で指圧器具を軽く握り、硬結に適合すように左右面対称で回し移動して硬結を探り当てる。硬結に適合したら、体重負荷を反復する押圧で筋の柔軟性を復元して行く。
【００２１】  このように固定して指圧器具を活用するが、固定した指圧器具の位置が身体に合わない場合には、平板（１４）の平板ホール（１５）に設置される突起部（１６）を、別の平板ホール（１５）の位置に換えて調整する。図４と図５を参照されたい。
【００２２】  最後の実施例は、本考案の指圧器具左右どちらか１個を、頸の付け根の硬結部に活用した実施例である。
【００２３】  仰臥位で１個の指圧器具を握って、底面が面（８）で突出部（２）が上向きで図３の形か、又は底面が面（６）で突出部（４）が上向き、あるいは又底面が面（７）で突出部（３）が上向きで、この突出部（２）、突出部（４）、突出部（３）を押圧部として活用する。側面の面（５）は常に外側に向け、体側には突出部（１）が常に向く形にする。この形で頭部を上げて頸の付け根付近に指圧器具の突出部の押圧部が当たるように入れる。硬結部付近で頭部を下げてみて、硬結に当たるかを探ってみる。気持ちの良い所の硬結部で頸の力を抜き頭部の重さを利用した押圧で、筋の硬結の柔軟性を復元させて行く。
頸の付け根の中央から外側に向け柔軟にする時には、施術側へ顔を横に向けると施術し易くなる。これを頸の付け根の硬結部全体に拡げて行き、筋の硬結の柔軟性を復元する。
以上が実施例である。
【符号の説明】
【００２４】１    突出部
２    突出部
３    突出部
４    突出部
５    面
６    面
７    面
８    面
９    辺部
１０  辺部
１１  辺部
１２  辺部
１３  辺部
１４  平板
１５  平板ホール
１６  突起部
１７  据付ホール
【図１】
0003199316.tif 000003
【図２】
0003199316.tif 000004
【図３】
0003199316.tif 000005
【図４】
0003199316.tif 000006
【図５】
0003199316.tif 000007
【手続補正書】
【提出日】平成26年11月11日(2014.11.11)
【手続補正１】
【補正対象書類名】図面
【補正対象項目名】図１
【補正方法】変更
【補正の内容】
【図１】
0003199316.tif 000008
【手続補正書】
【提出日】平成27年2月13日(2015.2.13)
【手続補正１】
【補正対象書類名】実用新案登録請求の範囲
【補正対象項目名】全文
【補正方法】変更
【補正の内容】
【実用新案登録請求の範囲】
【請求項１】
左右面対称一対２個の三角錐体様の硬度のある弾性体の
全ての突出部及び辺部は曲面で
突出部の高さ及び辺部の長さは異なる部分を有し
２個のうちの１個は４つの面と４つの突出部と６つの辺部を有し
左右は面対称で２個で一対となり
１個のうちの４つの面の一番広い面を面（５）として
面（５）には１つの穴の据付ホール（１７）を有し
面（５）を底面として上に来る１つの突出部を突出部（１）とし
突出部（１）から３つの辺部が構成されて
３つの辺部のうち
突出部（１）から一番長い辺部（９）を通って先にある突出部を突出部（２）とし
突出部（１）から二番目に長い辺部（１１）を通って先にある突出部を突出部（３）とし突出部（１）から三番目の最短の辺部（１０）を通って先にある突出部を突出部（４）とし、３つの辺部の長さは異なり
突出部（１）から構成された３つの辺部を
直線相当の辺として見立て
３つの辺が交差する方向へ延長して
交差する頂点と辺で構成された３つの角度は異なり
全ての４つの面のどの面を底面として置いた時でも
底面の上に来る１つの突出部と
突出部から構成された３つの辺部の長さは異なり
３つの辺部を直線相当の辺として見立て
３つの辺を交差する方向へ延長して
交差する頂点と辺で構成された３つの角度は
夫々異なる形に構成することを特徴とする指圧器具。
【請求項２】
指圧器具の左右のどちらか１個の
面（５）を底面として、上に来る突出部（１）から
辺部（９）と辺部（１１）と底面の面（５）の辺部で構成する面部を面（６）とし
辺部（９）と辺部（１０）と底面の面（５）の辺部で構成する面部を面（７）とし
辺部（１１）と辺部（１０）と底面の面（５）の辺部で構成する面部を面（８）とし
面（８）を底面として上に来る突出部が突出部（２）で
全ての４つの突出部（１）突出部（２）突出部（３）突出部（４）の高さを比較すると突出部（２）の高さが一番高くなり
突出部（２）からできる３つの辺部（９）辺部（１２）辺部（１３）を
直線相当の辺として見立て
交差する方向へ延長して
交差する頂点の高さは
他の３つの突出部（１）突出部（３）突出部（４）を同じ構成で求めた頂点の高さよりも最も高い頂点の高さを構成することを特徴とする請求項１の指圧器具。
【請求項３】
指圧器具の面（５）には１つの円錐状様の穴の据付ホール（１７）が有り
平板（１４）は硬質性で全部で６つ乃至は複数の円柱形状の穴の平板ホール（１５）を有し、平板（１４）の広さは据付けた指圧器具が、平板からはみ出さない広さを保有し
突起部（１６）は硬質性で
平板ホール（１５）に差込む部分は穴の形状と同じ円柱形状で
突起部（１６）の上部の部分は横から見ると
半楕円形状様で平板（１４）に接する面は
半楕円形状様の横から見た水平線の部分で上方が曲面となり
水平線の下から見た平板（１４）に接する面部分は円形で
中央部には円柱形状の平板ホール（１５）に差込む部分を有し
平板ホール（１５）の穴の直径より半楕円形状様の水平線の長さの幅の方が大きくなるため平板（１４）に係止可能となり
指圧器具を平板（１４）の突起部（１６）に差込み
固定を構成することを特徴とする請求項１の指圧器具。
【手続補正書】
【提出日】平成27年3月8日(2015.3.8)
【手続補正１】
【補正対象書類名】実用新案登録請求の範囲
【補正対象項目名】全文
【補正方法】変更
【補正の内容】
【実用新案登録請求の範囲】
【請求項１】
左右面対称一対２個の三角錐体様の硬度のある弾性体の
全ての突出部及び辺部は曲面で
突出部の高さ及び辺部の長さは異なる部分を有し
２個のうちの１個は４つの面と４つの突出部と６つの辺部を有し
左右は面対称で２個で一対となり
１個のうちの４つの面の一番広い面を面（５）として
面（５）には１つの穴の据付ホール（１７）を有し
面（５）を底面として上に来る１つの突出部を突出部（１）とし
突出部（１）から３つの辺部が構成されて
３つの辺部を直線相当の辺として見立て
３つの辺は底面として置いた平面に対して斜辺となり
辺部は斜辺部で
斜辺の辺を平面と交差する方向へ延長して
平面と交差する頂点で構成される夫々の３つの角度は異なり
突出部（１）から斜辺と平面の交差する頂点の角度が
一番小さく構成する斜辺部の辺部（９）を通って
先にある突出部を突出部（２）とし
突出部（１）から斜辺と平面の交差する頂点の角度が
二番目に大きく構成する斜辺部の辺部（１１）を通って
先にある突出部を突出部（３）とし
突出部（１）から斜辺と平面の交差する頂点の角度が
一番大きく構成する斜辺部の辺部（１０）を通って
先にある突出部を突出部（４）とし
他の３つの面（６）面（７）面（８）の
どの面を底面として置いた時でも
底面の上に来る１つの突出部と
突出部から３つの辺部が構成されて
３つの辺部を直線相当の辺として見立て
３つの辺は底面として置いた平面に対して斜辺となり
辺部は斜辺部で
３つの斜辺の辺を平面と交差する方向へ延長して
平面と交差する頂点で構成される夫々の３つの角度は
夫々異なる角度に構成することを特徴とする指圧器具。
【請求項２】
指圧器具の左右のどちらか１個の
面（５）を底面として、上に来る突出部（１）から
辺部（９）と辺部（１１）と底面の面（５）の辺部で構成する面部を面（６）とし
辺部（９）と辺部（１０）と底面の面（５）の辺部で構成する面部を面（７）とし
辺部（１１）と辺部（１０）と底面の面（５）の辺部で構成する面部を面（８）とし
面（８）を底面として上に来る突出部が突出部（２）で
全ての４つの突出部（１）突出部（２）突出部（３）突出部（４）の高さを比較すると
突出部（２）の高さが一番高くなり
突出部（２）からできる３つの辺部（９）辺部（１２）辺部（１３）を
直線相当の辺として見立て
交差する方向へ延長して
交差する頂点の高さは
他の３つの突出部（１）突出部（３）突出部（４）を同じ構成で求めた頂点の高さよりも最も高い頂点の高さを構成することを特徴とする請求項１の指圧器具。
【請求項３】
指圧器具の面（５）には１つの円錐状様の穴の据付ホール（１７）が有り
平板（１４）は硬質性で全部で６つ乃至は複数の円柱形状の穴の平板ホール（１５）を有し、平板（１４）の広さは据付けた指圧器具が、平板からはみ出さない広さを保有し
突起部（１６）は硬質性で
平板ホール（１５）に差込む部分は穴の形状と同じ円柱形状で
突起部（１６）の上部の部分は横から見ると
半楕円形状様で平板（１４）に接する面は
半楕円形状様の横から見た水平線の部分で上方が曲面となり
水平線の下から見た平板（１４）に接する面部分は円形で
中央部には円柱形状の平板ホール（１５）に差込む部分を有し
平板ホール（１５）の穴の直径より半楕円形状様の水平線の長さの幅の方が大きくなるため平板（１４）に係止可能となり
指圧器具を平板（１４）の突起部（１６）に差込み
固定を構成することを特徴とする請求項１の指圧器具。